(57)【要約】【課題】送風系が相互に独立するように、上側にガスヒータ部２を、下側に電気ヒータ部３を１個の筐体に内蔵してハイブリット式温風暖房器を構成する際に、防塵フィルタ６ａ、６ｂが装着される吸気口１３ａ、１３ｂの面積を大きくしても暖房器自体がコンパクトとなるようにする。【解決手段】筐体１１に設けた電気ヒータ部３の第２吸気口１３ｂを、ガスバーナー２０の下方に配置され、ガスヒータ部２と電気ヒータ部３とを区画する第１送風ファン２１のハウジング２１１の後側に吸気通路となる間隔を存して形成する。【選択図】　図２
2004125262.tif 000002
【特許請求の範囲】
【請求項１】
前面に第１及び第２の吹出口と、後面に第１及び第２の吸気口とを設けた筐体を備え、
この筐体内部上側に、ガスバーナと、このガスバーナーの下方に配置され、ガスバーナーからの燃焼ガスと第１吸気口から筐体内に吸込まれた空気とを混合して第１吹出口から室内に吹出す第１送風ファンとから構成されるガスヒータ部を、
この筐体内部下側に、第２吸気口から吸込まれた空気を加熱する電気ヒータと、加熱された空気を第２吹出口から室内に吹出す第２送風ファンとから構成される電気ヒータ部を、両ヒータ部の送風系が相互に独立するように区画して内蔵したハイブリット式温風暖房器であって、
第２吸気口を、両ヒータ部を区画する第１送風ファンのハウジングの後側に吸気通路となる間隔を存して形成したことを特徴とするハイブリット式温風暖房器。
【請求項２】
前記第１及び第２の各吹出口を、第１送風ファンから吹出される空気と第２送風ファンから吹出される空気とが合流するように上下に接近させて形成したことを特徴とする請求項１記載のハイブリット式温風暖房器。
【請求項３】
前記第２送風ファンのハウジングに形成した第２吹出口に通じる送風ダクトを上方に向かって傾斜して設けたことを特徴とする請求項１または請求項２記載のハイブリット式温風暖房器。
【発明の詳細な説明】
【０００１】
【発明の属する技術分野】
本発明は、ガスヒータと電気ヒータとを１個の筐体に内蔵したハイブリット式温風暖房器に関する。
【０００２】
【従来の技術】
従来のハイブリット式温風暖房器としては、例えば燃焼ヒータと電気ヒータとを筐体に内蔵し、１個の送風ファンで送風系を形成するものは知られている（特許文献１）。この場合、燃焼ヒータと電気ヒータとの送風系を１個の送風ファンで制御すると、燃焼ヒータに加えて電気ヒータを運転する場合と、燃焼ヒータのみを運転し電気ヒータを停止させた場合とでは、発生熱量が異なることから、過熱防止のため筐体内に吸込む空気量を相違させる必要があり、燃焼空気量の相違のため燃焼ヒータを安定燃焼させるのが困難になる。
【０００３】
このため、燃焼ヒータ部及び電気ヒータ部を上下に重ねて配置し、送風ファンと吸気口及び吹出口とをそれぞれ設け、送風系を相互に独立のものとすることが考えられる。吸気口には、暖房器の筐体内に塵やほこりが吸込まれるのを防止するため防塵ファルタが装着される。
【０００４】
吸気口に防塵フィルタを装着した場合、送風ファンを駆動したとき筐体内に吸込まれる空気量は減少する。したがって、各送風ファンを介して吹出口から吹出される温風の十分な風量を得るには吸気口の面積を大きくする必要がある。
【０００５】
【特許文献１】
特開平２０００−９３４７号公報（例えば、請求項の記載）
【０００６】
【発明が解決しようとする課題】
しかしながら、燃焼ヒータ部と電気ヒータ部の後面にそれぞれ対応させて大面積の吸気口を形成したのでは、暖房器自体の高さ寸法が大きくなり、使い勝手が悪くなるという不具合が生じる。
【０００７】
そこで、本発明は、上記点に鑑み、暖房器自体がコンパクトで使い勝手がよいハイブリット式温風暖房器を提供することを課題とするものである。
【０００８】
【課題を解決するための手段】
上記課題を解決するため、本発明のハイブリット式温風暖房器は、前面に第１及び第２の吹出口と、後面に第１及び第２の吸気口とを設けた筐体を備え、この筐体内部上側に、ガスバーナと、このガスバーナーの下方に配置され、ガスバーナーからの燃焼ガスと第１吸気口から筐体内に吸込まれた空気とを混合して第１吹出口から室内に吹出す第１送風ファンとから構成されるガスヒータ部を、この筐体内部下側に、第２吸気口から吸込まれた空気を加熱する電気ヒータと、加熱された空気を第２吹出口から室内に吹出す第２送風ファンとから構成される電気ヒータ部を、両ヒータ部の送風系が相互に独立するように区画して内蔵したハイブリット式温風暖房器であって、第２吸気口を、両ヒータ部を区画している第１送風ファンのハウジングの後側に吸気通路となる間隔を存して形成したことを特徴とする。
【０００９】
本発明によれば、第１送風ファンのハウジング後側に位置する筐体の部分を電気ヒータ部用の吸気口として使用するので、この吸気口の面積を大きくしても暖房器自体の高さ寸法は大きくならない。
【００１０】
尚、前記第１及び第２の各吹出口を、第１送風ファンから吹出される空気と第２送風ファンから吹出される空気とが合流するように上下に接近させて形成してもよい。
【００１１】
ところで、下側に位置する電気ヒータ部の第２吹出口から温風を吹出す場合、その温風によって室内の床面が過熱される可能性がある。このため、前記第２送風ファンのハウジングに形成した第２吹出口に通じる送風ダクトを上方に向かって傾斜して設けるのがよい。
【００１２】
【発明の実施の形態】
図１及び図２を参照して、１は、本発明のハイブリット式温風暖房器である。この温風暖房器１は箱状の筐体１１を有する。筐体１１内には、上側にガスヒータ部２が、下側に電気ヒータ部３が内蔵されている。
【００１３】
本実施の形態では、筐体１１の前面に、第１吹出口１２ａ及び第２吹出口１２ｂ、筐体１１の後面に第１吸気口１３ａ及び第２吸気口１３ｂを、ガスヒータ部２及び電気ヒータ３に対応させて形成し、後述するように２個の送風ファンを使用してガスヒータ部２と電気ヒータ部３との送風系を相互に独立のものとしている。
【００１４】
ガスヒータ部２は、ガスバーナー２０と、ガスバーナー２０の下方に配置され、ガスバーナー２０に燃焼用空気を供給すると共に燃焼ガスと第１吸気口１３ａから筐体１１に吸込まれた空気とを混合して室内に吹出す第１送風ファン２１とから構成されている。
【００１５】
ガスバーナー２０は、全一次式燃焼バーナーであり、筐体１１内に配置した比例弁４１に接続されたガス管（図示せず）の先端に装着されたガス噴射ノズル４２が臨む燃料／空気の吸入口２０１と、この吸入口２０１に連通する混合管部２０２とを形成したバーナー本体２０ａを有する。バーナー本体２０ａの開口した上面には、分布板２０３を介して複数の炎口が列設されたセラミック製炎口板２０４が装着され、炎口板２０４の上部空間は燃焼カバー２０５で囲われている。
【００１６】
また、筐体１１内には、燃焼カバー２０５で覆われたガスバーナー２０の燃焼室２０６の上方を囲うように第１隔壁５ａが設けられている。さらに、筐体１１内には、第１隔壁５ａを含むガスバーナー２０を覆うと共に第１隔壁５ａとの間で第１送風ファン４に通じる空気通路５１が形成されるように第２隔壁５ｂが設けられている。バーナー本体２０ａの下側に位置する第１送風ファン２１は、第１吹出口１２ａに通じる送風ダクト２１１ａが形成されたハウジング２１１を有する。
【００１７】
ハウジング２１１内には、回転数の制御が可能な第１モータ２１２に接続されたクロスフロー式の第１回転羽根２１３が配置されている。この場合、空気通路５１とハウジング２１１の内部空間とは、ハウジング２１１の上面開口２１１ｂを介して連通している。
【００１８】
これにより、第１吸気口１３ａから第１吹出口１２ａに通じるガスヒータ部２の送風系が形成される。そして、第１モータ２１２を駆動して第１回転羽根２１３を回転させると、筐体１１内に吸気口１３ａから室内の空気が吸い込まれ、バーナー本体２０ａの吸入口２０１に空気が供給されると共に、空気通路５１を空気が流れる。
【００１９】
この場合、吸入口２０１にガス噴射ノズル４２を介して燃料ガスを噴射すると混合気が炎口板２０４に供給される。尚、空燃比は、第１モータ２１２を制御して第１回転羽根２１３の回転数を制御することで調節される。
【００２０】
ガスバーナーからの燃焼ガスは、第１隔壁５ａの内側を通って第１送風ファン２１方向に吸引される。また、空気通路５１には、第１吸気口１３ａから吸引された空気が流れ、第１隔壁５ａの端部に到達すると燃焼ガスと空気とが混合されて温度低下し、開口２１１ｂを介してハウジング２１１内に流入する。そして、所定温度の混合気体が吹出口１２ａを介して室内に放出される。
【００２１】
一方、電気ヒータ部３は、第２吸気口１３ｂに連通した第２送風ファン３０を有する。この第２送風ファン３０は、吹出口１２ｂに通じる送風ダクト３０１ａが形成されたハウジング３０１を有し、その内部には回転数の制御が可能な第２モータ３１に接続されたクロスフロー式の第２回転羽根３２が配置されている。また、送風用ダクト３０１ａには８本のシーズヒータ３３が設けらている。
【００２２】
これにより、第２吸気口１３ｂから第２吹出口１２ｂに通じる電気ヒータ部３の送風系が形成される。そして、第２モータ３１を駆動させて第２回転羽根３２を回転させると、吸気口１３ｂを介して室内の空気が吸い込まれ、この空気が送風ダクト３０１ａに設けたシーズヒータ３３の周囲を通過する間に加熱され、吹出口１２ｂを介して加熱された空気が室内に放出される。
【００２３】
尚、前記第１及び第２の各吹出口１２ａ、１２ｂは、第１送風ファン２１から吹出される温風と第２送風ファン３０から吹出される温風空気とが合流するように隣接させて形成している。
【００２４】
ところで、第１及び第２の各吸気口１３ａ、１３ｂには、筐体１１内に塵やほこりが吸込まれるのを防止するため防塵ファルタ６ａ、６ｂをそれぞれ装着している。この防塵フィルタ６ａ、６ｂが抵抗となって、第１及び第２の各送風ファン２１、３０を駆動したときハウジング２１１、３０１に吸込まれる空気量は減少する。
【００２５】
したがって、第１及び第２の各吹出口１２ａ、１２ｂから吹出される温風の十分な風量を得るには第１及び第２の各吸気口１３ａ、１３ｂの面積を大きくするのがよいが、ガスヒータ部２と電気ヒータ部３との後面の筐体１１にそれぞれ対応させて大面積の吸気口を形成したのでは、暖房器自体の高さ寸法が大きくなる。
【００２６】
本実施の形態では、ガスヒータ部２の送風系と電気ヒータ部３の送風系とを区画する第１送風ファン２１のハウジング２１１の後側に吸気通路となる間隔を存して第２吸気口１３ｂを形成した。これにより、電気ヒータ部３用の第２吸気口１３ｂの面積を大きくしても暖房器自体の高さ寸法は大きくならない。
【００２７】
また、電気ヒータ部３の第２吹出口１２ｂから温風を吹出す場合、その温風によって室内の床面が過熱される可能性がある。このため、第２送風ファン３０の送風ダクト３０１ａを上方に向かって傾斜して設けている。
【００２８】
【発明の効果】
以上説明したように、本発明のハイブリット式温風暖房器では、暖房器自体がコンパクトで使い勝手がよいという効果を奏する。
【図面の簡単な説明】
【図１】本発明のハイブリット式温風暖房器の構成を説明する正面図
【図２】本発明のハイブリット式温風暖房器の構成を説明する縦断面図
【符号の説明】
１　ハイブリット式温風暖房器
１１　筐体
１２ａ。１２ｂ　吹出口
１３ａ、１３ｂ　吸気口
２　ガスヒータ部
２０　ガスバーナー
２１　第１送風ファン
３　電気ヒータ部
３０　第２送風ファン
【図１】
2004125262.tif 000003
【図２】
2004125262.tif 000004